(57)【要約】【課題】コイルばね１３の座巻き部３１がばね収容孔１５と２４の段差３０で引っ掛からず、途中での折れ曲がりもなく、十分な弾性の得られるものを提供すること。【解決手段】第１ハウジング１０のばね収容孔１５と第２ハウジング１１のばね収容孔２４とを突き合わせて連通し、スライダ移動子１９とコイルばね１３とを収納してスライダ移動子１９と一体のスライダ１２を開閉するようにしたスライダ付きコネクタにおいて、コイルばね１３は、少なくともその一端部側であって、スライダ移動子１９と圧接する座巻き部３１を含む数巻を、コイルばね１３の中心部の直径より小径部３２としたものである。コイルばね１３は、一方端部だけでなく、両端部を小径部３２とすることにより、左右対称形とすることが望ましい。【選択図】　図１
2004031260.tif 000002
【特許請求の範囲】
【請求項１】
第１ハウジング１０のばね収容孔１５と第２ハウジング１１のばね収容孔２４とを突き合わせて連通し、このばね収容孔１５とばね収容孔２４とに、スライダ移動子１９とコイルばね１３とを収納して前記スライダ移動子１９を進退動しスライダ１２を開閉するようにしたスライダ付きコネクタにおいて、前記コイルばね１３は、その一端部側であって、前記スライダ移動子１９と圧接する座巻き部３１を含む数巻をコイルばね１３の中心部の直径より小径部３２としたことを特徴とするスライダ付きコネクタ。
【請求項２】
第１ハウジング１０のばね収容孔１５と第２ハウジング１１のばね収容孔２４とを突き合わせて連通し、このばね収容孔１５とばね収容孔２４とに、スライダ移動子１９とコイルばね１３とを収納して前記スライダ移動子１９を進退動しスライダ１２を開閉するようにしたスライダ付きコネクタにおいて、前記コイルばね１３は、その両端部における座巻き部３１を含む数巻をコイルばね１３の中心部の直径より小径部３２とすることにより、左右対称形としたことを特徴とするスライダ付きコネクタ。
【請求項３】
小径部３２は、座巻き部３１から数巻き程度であって、中央部から端部の座巻き部３１に向かって順次小径となるように鼓形に絞られて形成されていることを特徴とする請求項１又は２記載のスライダ付きコネクタ。
【発明の詳細な説明】
【０００１】
【発明の属する技術分野】
本発明は、電子機器をアダプタなどのコネクタにセットしたり、外したりするときに、スライダを開閉して内部の電極と電子機器のコネクタとを接離するタイプのスライダ付きコネクタにおいて、コイルばねによるスライダの進退動が確実に行われるようにしたスライダ付きコネクタに関するものである。
【０００２】
【従来の技術】
従来より図３に示すようなスライダ付きコネクタが知られている。このスライダ付きコネクタは、第１ハウジング１０，第２ハウジング１１，スライダ１２及びコイルばね１３からなる。
【０００３】
前記第１ハウジング１０は、天板部１８と両側部とで形成され、底部は切り取られて嵌合凹部１４が形成されている。前記天板部１８には、一端部側から電子機器のコネクタをセットするためのセット凹部１７が切り欠かれ、また、両側部には、肉厚部分にばね収容孔１５が形成され、一端部側に肉薄の係止片１６が形成されている。
【０００４】
前記第２ハウジング１１は、底部と両側部とで形成され、天板部は除かれて底部の上面が電極取り付け面２７となっている。この電極取り付け面２７の上面には、複数本の電極２１が設けられ、また、この電極取り付け面２７は、一端部側からの案内スロープ２２に連続している。さらに、この第２ハウジング１１の両側部には、肉厚部分の上面が切り欠き面２８となっており、この切り欠き面２８にばね収容孔２４が形成され、さらに、内側に案内溝２３が形成されている。また、両側部の外側に係止段部２５が形成されている。
【０００５】
前記スライダ１２は、一端部に取手２０が形成され、両側部にスライダ移動子１９が形成され、このスライダ移動子１９の突部２９にコイルばね１３が嵌め込まれている。このコイルばね１３は、図４に示すように、一端の座巻き部３１から他端の座巻き部３１まで全体が同一直径ｄ２に形成されたものである。
【０００６】
このように構成された第１ハウジング１０と、スライダ１２と、第２ハウジング１１は、第２ハウジング１１のばね収容孔２４にスライダ１２のスライダ移動子１９とコイルばね１３の一端部側を挿入し、第１ハウジング１０のばね収容孔１５にコイルばね１３の他端部の座巻き部３１を挿入しながら、スライダ１２を電極取り付け面２７の電極２１に被せて第２ハウジング１１のほぞ２６を第１ハウジング１０の嵌合凹部１４に嵌合し、さらに第１ハウジング１０の係止片１６を第２ハウジング１１の係止段部２５に係止する。
すると、コイルばね１３とスライダ移動子１９は、第１ハウジング１０のばね収容孔１５と第２ハウジング１１のばね収容孔２４内に収納される。
【０００７】
この状態で、電子機器のコネクタを第２ハウジング１１の案内スロープ２２側から摺動しつつセットすると、電子機器のコネクタの底部に取手２０が当接してスライダ１２が押し込まれて電極２１が露出し、電子機器の下面のコネクタ電極と電気的に接続される。このとき、コイルばね１３は、ばね収容孔１５内で圧縮され、スライダ１２は、第１ハウジング１０の嵌合凹部１４に挿入される。
【０００８】
セットされた電子機器を外すときには、電子機器をセット時と逆方向に摺動すると、電子機器のコネクタは、第２ハウジング１１の案内スロープ２２側から抜き取られる。このとき、スライダ１２は、コイルばね１３の力で元に戻されて電極２１を再び被覆する。
【０００９】
【発明が解決しようとする課題】
以上のように構成されたスライダ付きコネクタのハウジングは、第１ハウジング１０と第２ハウジング１１とからなリ、中間位置で互いに当接しつつ連結されたものである。第１ハウジング１０と第２ハウジング１１は、互いに正確に連結されるように、嵌合凹部１４とほぞ２６とが構成されているが、着脱自在に組み立てられるものであるため、どうしても図５に示すように接合面に段差３０が発生してしまう。
【００１０】
スライダ１２のスライダ移動子１９がばね収容孔２４からばね収容孔１５にかけて移動し、コイルばね１３が圧縮されるときにはあまり問題とならないが、ばね収容孔１５内で圧縮されたコイルばね１３がスライダ１２の押圧力の解除により復帰してばね収容孔１５からばね収容孔２４へ移る時にこれらの間の接合面に発生した段差３０に拡大図６に示すように、コイルばね１３の座巻き部３１が引っ掛かってしまうことがある。そのため、スライダ移動子１９がコイルばね１３から離れてしまい、スライダ１２が閉じなくなったり、ふらついてしまったりする。２本のコイルばね１３の内の一方だけが引っ掛かったような場合には、スライダ１２が斜めになって開閉ができなくなる。
【００１１】
これを避けるために、コイルばね１３の直径をばね収容孔１５とばね収容孔２４の内径よりも十分に小さくしたような場合には、段差３０における引っ掛かりをある程度抑制できるが、逆に、ばね収容孔１５及びばね収容孔２４の内壁とコイルばね１３との間の隙間が大きくなりすぎてコイルばね１３が途中で折れ曲がるような踊りの状態となり、また、コイルばね１３の直径が小さいと十分な弾性が得られない、などの問題があった。
【００１２】
これらの問題を解決するため、段差３０部分に面取りやＲ部などの呼び込みを作ることも考えられるが、第１ハウジング１０と第２ハウジング１１との接合面の肉厚が薄い成型品では、この呼び込みを形成するための余裕がなかったり、呼び込み量が不十分となる。また、呼び込みを形成しても段差３０が発生すると、依然として十分な引っ掛かりの抑制ができない、という問題があった。
【００１３】
本発明は、コイルばね１３の座巻き部３１が段差３０で引っ掛かるようなことがなく、しかも、途中での折れ曲がりもなく、さらに、必要かつ十分な弾性の得られるものを提供することを目的とするものである。
【００１４】
【課題を解決するための手段】
本発明は、第１ハウジング１０のばね収容孔１５と第２ハウジング１１のばね収容孔２４とを突き合わせて連通し、このばね収容孔１５とばね収容孔２４とに、スライダ移動子１９とコイルばね１３とを収納して前記スライダ移動子１９を進退動しスライダ１２を開閉するようにしたスライダ付きコネクタにおいて、前記コイルばね１３は、少なくともその一端部側であって、前記スライダ移動子１９と圧接する座巻き部３１を含む数巻をコイルばね１３の中心部の直径より小径部３２としたことを特徴とするスライダ付きコネクタである。
【００１５】
前記コイルばね１３は、その両端部における座巻き部３１を含む数巻をコイルばね１３の中心部の直径より小径部３２とすることにより、左右対称形とすることが望ましい。
【００１６】
【発明の実施の形態】
本発明によるスライダ付きコネクタの一実施例を図１及び図２に基づき説明する。
本発明に用いられるコイルばね１３は、図２に示すように、中央部分の直径ｄ２は、第１ハウジング１０のばね収容孔１５及び第２ハウジング１１のばね収容孔２４の内部を円滑に進退できる範囲内でできるだけ大きくし、端部の座巻き部３１とその付近の数巻きを直径ｄ１の小径部３２としたものである。
【００１７】
この座巻き部３１の直径ｄ１は、スライダ移動子１９の突部２９にしっかりと嵌まり込み、かつ、図５及び図６に示した段差３０が生じたとしても引っ掛かることのない程度に小さくし、また、小径部３２は、座巻き部３１から２〜３巻き程度であって、座巻き部３１に順次小径となるように絞られて形成されている。
【００１８】
前記小径部３２は、少なくともスライダ移動子１９の突部２９に嵌合する側だけに形成すればよいが、片方だけとすると、組み立て時の方向性が問題となるので両側に形成して左右対称形の鼓形とすることが好ましい。
【００１９】
以上のように構成されたコイルばね１３を、図３に示すスライダ１２のスライダ移動子１９に嵌め込む。このコイルばね１３を嵌め込んだスライダ１２のスライダ移動子１９側を第２ハウジング１１のばね収容孔２４に挿入し、コイルばね１３の他端の座巻き部３１側を第１ハウジング１０のばね収容孔１５に嵌め込みながら、第１ハウジング１０と第２ハウジング１１とを組み立てる。
このとき、コイルばね１３の一端の座巻き部３１がスライダ移動子１９の突部２９にしっかりと嵌め込まれ、また、コイルばね１３の他端の座巻き部３１が小径のためコイルばね１３がふらついたとしてもばね収容孔１５に容易に挿入される。
【００２０】
図１は、組み立て後の断面図を示しており、コイルばね１３の中央部分では、第１ハウジング１０のばね収容孔１５と第２ハウジング１１のばね収容孔２４の内壁に隙間なく略接する状態にあって、両端の小径部３２では、第１ハウジング１０のばね収容孔１５の端部と第２ハウジング１１のばね収容孔２４の端部では、内壁の全周に隙間が形成される。
【００２１】
このため、第１ハウジング１０の嵌合凹部１４と第２ハウジング１１のほぞ２６とを嵌合したときに、図５及び図６に示すように接合面に段差３０が発生したとしても、圧縮されたコイルばね１３の座巻き部３１が接合面に発生した段差３０に引っ掛かるようなことがなくなり、スライダ１２が閉じなくなるような事故がなくなる。
また、コイルばね１３の中央の直径を第１ハウジング１０のばね収容孔１５と第２ハウジング１１のばね収容孔２４の内壁に隙間なく略接する状態に可能な限り大きく形成したので、コイルばね１３が途中で折れ曲がるような踊りの状態とならず、かつ、コイルばね１３の十分な弾性が得られる。
【００２２】
前記コイルばね１３は、その両端部における座巻き部３１を含む数巻をコイルばね１３の中心部の直径より小径部３２とすることにより、左右対称形とすることにより、組み立て時の方向性がなく、組み立て間違いがなくなる。
【００２３】
【発明の効果】
請求項１記載の発明におけるコイルばね１３は、その一端部側であって、スライダ移動子１９と圧接する座巻き部３１を含む数巻をコイルばね１３の中心部の直径より小径部３２としたので、接合面に発生した段差３０にコイルばね１３の座巻き部３１が引っ掛かってしまうことがなくなり、スライダ１２が確実に開閉できる。また、接合面の肉厚が薄い成型品であっても、段差３０部分に面取りやＲ部などの呼び込みを作る必要がない。
【００２４】
請求項２記載の発明のコイルばね１３は、その両端部における座巻き部３１を含む数巻をコイルばね１３の中心部の直径より小径部３２とすることにより、左右対称形としたので、組み立て時の方向性がなく、組み立て間違いがない。また、部品の製造と管理も容易である。
【００２５】
請求項３記載の発明におけるコイルばね１３の小径部３２は、座巻き部３１から数巻き程度であって、中央部から端部の座巻き部３１に向かって順次小径となるように鼓形に絞られて形成されているので、大きな段差３０が生じても座巻き部３１以外の部分が引っ掛かるのをより確実に防止できる。
【図面の簡単な説明】
【図１】本発明によるスライダ付きコネクタの一実施例を示す断面図である。
【図２】図１に示したコイルばね１３の詳細を説明するための正面図である。
【図３】第１ハウジング１０のばね収容孔１５と第２ハウジング１１のばね収容孔２４とを突き合わせて連通し、スライダ移動子１９とコイルばね１３とを収納してスライダ１２を進退動するようにしたスライダ付きコネクタの分解斜視図である。
【図４】従来のコイルばね１３の正面図である。
【図５】従来のコイルばね１３を使用したスライダ付きコネクタの断面図である。
【図６】図５の一部の拡大断面図である。
【符号の説明】
１０…第１ハウジング、１１…第２ハウジング、１２…スライダ、１３…コイルばね、１４…嵌合凹部、１５…ばね収容孔、１６…係止片、１７…セット凹部、１８…天板部、１９…スライダ移動子、２０…取手、２１…電極、２２…案内スロープ、２３…案内溝、２４…ばね収容孔、２５…係止段部、２６…ほぞ、２７…電極取り付け面、２８…切り欠き面、２９…突部、３０…段差、３１…座巻き部、３２…小径部。
【図１】
2004031260.tif 000003
【図２】
2004031260.tif 000004
【図３】
2004031260.tif 000005
【図４】
2004031260.tif 000006
【図５】
2004031260.tif 000007
【図６】
2004031260.tif 000008